(57)【要約】【課題】強度を維持しつつ、薄型化が可能で、コストを抑えたピックアップ保持装置、およびディスク装置を提供する。【解決手段】ディスク装置は、ピックアップ装置２４０を移動可能に保持するガイドシャフト２３１Ｂと、フォーカス方向にガイドシャフト２３１Ｂを案内する軸係合部３３０Ａ，３３０Ｂと、ガイドシャフト２３１Ｂのフォーカス方向への移動を調整する調整ねじ３１２Ａ，３１２Ｂと、ガイドシャフト２３１Ｂを台座部から離隔する方向に付勢するバネ線材３２０とを具備した。また、バネ線材３２０は、台座部２１０に固定される軸保持部３２１と、軸を中心にねじれ振動可能に設けられた長手棒状の第１および第２のねじれ部３２２Ａ，３２２Ｂと、ねじれ振動をガイドシャフト２３１Ｂに伝達する第１および第２の押圧部３２３Ａ，３２３Ｂとを備えた。【選択図】図３
2009157970.tif 000002
【特許請求の範囲】
【請求項１】
台座部と、
この台座部に設けられた案内部と、
記録媒体を保持する保持手段に保持された前記記録媒体に情報を書き込む書込み処理、および前記記録媒体に記録された情報を読み込む読込処理のうち少なくともいずれか一方の処理を実施するピックアップ装置を移動可能に保持し、前記案内部にて少なくとも径方向でかつフォーカス方向に移動可能に案内保持される長手棒状のシャフトと、
前記台座部に配設され前記シャフトを径方向でかつフォーカス方向に付勢する付勢部材と、
前記台座部に配設され前記シャフトの移動量を調整する調整部材と、
を具備したピックアップ保持装置であって、
前記付勢部材は、前記台座部にて軸方向がフォーカス方向に交差する方向に保持され軸を中心にねじれ振動可能な長手棒状の付勢部材本体と、この付勢部材本体の長手方向の端部で前記付勢部本体の軸方向と交差する方向に突設され前記ねじれ振動により前記シャフトの周面を押圧する腕部とを備えた
ことを特徴とするピックアップ保持装置。
【請求項２】
請求項１に記載のピックアップ保持装置において、
前記付勢部材本体は、前記台座部に配設された状態で前記台座部に固定される突起部が突設された
ことを特徴とするピックアップ保持装置。
【請求項３】
請求項２に記載のピックアップ保持装置において、
前記腕部は、前記付勢部材本体の両端部に設けられた
ことを特徴とするピックアップ保持装置。
【請求項４】
請求項３に記載のピックアップ保持装置において、
前記突起部は、径方向に突出する状態に折曲形成される第１ないし第３の突起部にて構成され、
前記第１および第２の突起部は、前記付勢部材本体が前記台座部に配設された状態で、軸を対称軸として前記腕部が突出する方向と反対側に突設され、
前記第３の突起部は、前記第１の突起部と前記第２の突起部との間に設けられ、前記付勢部材本体が前記台座部に配設された状態で、軸を対称軸として前記腕部が突出する方向と同じ側に突設された
ことを特徴とするピックアップ保持装置。
【請求項５】
請求項４に記載のピックアップ保持装置において、
前記台座部は、前記突起部を係合固定する固定孔を有した
ことを特徴とするピックアップ保持装置。
【請求項６】
請求項１ないし請求項５のいずれかに記載のピックアップ保持装置において、
前記腕部は、前記付勢部材本体に一連に折曲形成された
ことを特徴とするピックアップ保持装置。
【請求項７】
請求項６に記載のピックアップ保持装置において、
前記付勢部材は、線材にて折曲形成された
ことを特徴とするピックアップ保持装置。
【請求項８】
請求項１ないし請求項７のいずれかに記載のピックアップ保持装置と、
前記記録媒体を保持する保持手段と、
前記ピックアップ保持装置に移動可能に保持されるとともに、前記保持手段に保持された前記記録媒体に情報を書き込む書込み処理、および前記記録媒体に記録された情報を読み込む読込処理のうち少なくともいずれか一方の処理を実施するピックアップ装置と、
前記ピックアップ保持装置、前記保持手段、および前記ピックアップ装置を内部に収納するとともに、前記記録媒体を内外に出し入れ可能な開口部を備えたケース体と、
を具備することを特徴としたディスク装置。
【発明の詳細な説明】
【技術分野】
【０００１】
本発明は、記録媒体に所定の処理を実施するピックアップを保持するピックアップ保持装置、およびディスク装置に関する。
【背景技術】
【０００２】
従来、所定位置に保持された光ディスクの径方向に沿って移動可能に設けられ、この光ディスクに情報を記録する記録処理や光ディスクの情報を読み込む読込処理などの情報処理を実施するピックアップ機構と、このピックアップ機構のスキュー調整を行うスキュー調整機構とを備えたディスク装置が知られている（例えば、特許文献１〜８参照）。
【０００３】
特許文献１には、ベース板と、光ピックアップを光ディスクの半径方向に移動可能に支持するガイド軸と、ガイド軸の端部を高さ方向に付勢するコイルバネと、ガイド軸の端部の支持位置を調節する調整ネジとが設けられ、調整ネジのねじ込み量を調節してコイルバネの圧縮状態を変化させることにより、光ピックアップのスキュー調整を行う点が記載されている。コイルバネは、略円錐状に形成されており、径の大きい方をベース側とし、径の小さい方をガイド軸側として、ベースとガイド軸の端部から突出形成された挿入軸との間に圧縮された状態で配置されている。
特許文献２には、光ディスクに対して垂直なベースの基準面と、基準面に沿ってガイド軸を移動させる調整ネジと、コイル部から延出した一方のアームがベースに固定される固定部となりコイル部から延出した他方のアームがガイド軸を基準面に押圧する押圧部となる捻りコイルバネとが設けられた点が示されている。そして、調整ネジを進退させて、ガイド軸を基準面に沿って移動させ、ガイド軸に支持された光ピックアップが出射する光ビームの光軸を調整する点が示されている。
【０００４】
特許文献３には、小径部および大径部からなるサブガイドシャフトと、シャフトの小径部を光ピックアップより照射されるレーザ光の光軸方向に付勢する板バネと、光ピックアップの軸方向におけるシャフトの位置および傾きを板バネの付勢力に抗しつつ調整するためのスキュー調整ネジとが設けられた点が示されている。そして、板バネの両端部のシャフト支持部の付勢力に抗しつつ個々のスキュー調整ネジをそれぞれ所定量締め込むか又は緩めることで、光ピックアップより照射されるレーザビームの光軸方向におけるサブガイドシャフトの傾きを調整することができ、光ディスクの情報記録面に対し、光ピックアップより照射されるレーザビームの傾きを調整することができる。
【０００５】
特許文献４には、フレームに設けられた垂直で平坦なガイド面と、フレームに設けられたねじりコイルばねと、フレームに設けられたねじ孔にねじ込まれた平坦な先端面を有するねじと、ねじりコイルばねの末端部が外周面に弾接されるサブシャフトとが設けられている点が示されている。また、ねじを回すことによって、ガイド面に沿う下方向に弾発付勢されているサブシャフトの一端部を、そのねじの先端面で支えさせてガイド面に沿って上下移動させると、そのサブシャフトの傾斜が変化してスキュー調整が行われる点が示されている。
【０００６】
特許文献５には、ピックアップを摺動自在に支持するガイドシャフトと、ガイドシャフトの端部と係合し螺旋状斜面を有する螺旋状斜面カムとが設けられ、捩りコイルバネの脚部でガイドシャフトを螺旋状斜面に押圧する。そして、螺旋状斜面カムを回動すると、ガイドシャフトはデッキに対して端部が垂直に上下されて傾斜が調整される点が示されている。
特許文献６には光ヘッドを支持しその移動を案内する案内部材としてのガイドバと、ガイドバを上方から押さえガイドバの位置調整可能な調整ネジと、取付け部を有するトーションバと、トーションバの取付け部にサブガイドバを下側から押圧する押圧力を与えるためのユニットメカシャーシの凸部とを設け、調整ネジによってガイドバの取り付け位置を調整する点が示されている。
【０００７】
特許文献７および８の図4には、ガイドシャフトと、ベースの板面側から螺合する第１のボルトと、ガイドシャフトが板面から遠ざかる方向に押し付け付勢するねじりバネとが設けられ、第１のボルトおよびねじりバネが協働してガイドシャフトを保持し、第１のボルトを回転させることにより、ガイドシャフトの高さ方向の角度位置を調整する点が示されている。また、ガイドシャフトと、板面側から螺合する第２のボルトと、ガイドシャフトが板面から遠ざかる方向に引っ張り付勢する引っ張りバネとが設けられ、第２のボルトおよび引っ張りバネが協働してガイドシャフトを保持し、第２のボルトを回転させることにより、ガイドシャフトの高さ方向の角度位置を調整する点も示されている。
【０００８】
【特許文献１】特開２００５−３１７１３３号公報
【特許文献２】特開２００５−１１６０１０号公報
【特許文献３】特開２００２−４２４３２号公報
【特許文献４】実用新案公報第３０６２９２４号
【特許文献５】特開２００１−３０７４３６号公報
【特許文献６】特開２０００−３０６３０７号公報
【特許文献７】特開２００２−２６０３４９号公報
【特許文献８】特開２００２−２２２５７１号公報
【発明の開示】
【発明が解決しようとする課題】
【０００９】
特許文献１のような構成では、ベース板と、ガイド軸の端部に設けられた挿入軸との間にコイルバネを設けているので、コイルバネの高さ寸法分、ピックアップ保持装置のスキュー調整機構部が大型化するおそれがある。また、特許文献２，４、５、７，８に記載のようにコイルバネやねじりバネを、径方向がガイドシャフトの軸方向と交差する方向に設ける場合でも、スキュー調整機構部が大型化し、ディスク装置が大型化するおそれがあるという問題が一例として挙げられる。
そして、特許文献１，２，６では、付勢部材に押圧されるガイドシャフトの端部が他の部分よりも細くなる状態に設けられているので、強度が不足するとともに、コストが大きくなるおそれがあるという問題が一例として挙げられる。
さらに、特許文献３，６では、トーションバネや板バネを用いてガイドシャフトを付勢するので製造する際に金型が必要となり、コストが大きくなるおそれがあるという問題が一例として挙げられる。
【００１０】
本発明は、このような問題点などに鑑みて、強度を維持しつつ、薄型化が可能で、コストを抑えたピックアップ保持装置、およびディスク装置を提供することを一つの目的とする。
【課題を解決するための手段】
【００１１】
請求項１に記載の発明は、台座部と、この台座部に設けられた案内部と、記録媒体を保持する保持手段に保持された前記記録媒体に情報を書き込む書込み処理、および前記記録媒体に記録された情報を読み込む読込処理のうち少なくともいずれか一方の処理を実施するピックアップ装置を移動可能に保持し、前記案内部にて少なくとも径方向でかつフォーカス方向に移動可能に案内保持される長手棒状のシャフトと、前記台座部に配設され前記シャフトを径方向でかつフォーカス方向に付勢する付勢部材と、前記台座部に配設され前記シャフトの移動量を調整する調整部材と、を具備したピックアップ保持装置であって、前記付勢部材は、前記台座部にて軸方向がフォーカス方向に交差する方向に保持され軸を中心にねじれ振動可能な長手棒状の付勢部材本体と、この付勢部材本体の長手方向の端部で前記付勢部本体の軸方向と交差する方向に突設され前記ねじれ振動により前記シャフトの周面を押圧する腕部とを備えたことを特徴とするピックアップ保持装置である。
【００１２】
請求項８に記載の発明は、請求項１ないし請求項７のいずれかに記載のピックアップ保持装置と、前記記録媒体を保持する保持手段と、前記ピックアップ保持装置に移動可能に保持されるとともに、前記保持手段に保持された前記記録媒体に情報を書き込む書込み処理、および前記記録媒体に記録された情報を読み込む読込処理のうち少なくともいずれか一方の処理を実施するピックアップ装置と、前記ピックアップ保持装置、前記保持手段、および前記ピックアップ装置を内部に収納するとともに、前記記録媒体を内外に出し入れ可能な開口部を備えたケース体と、を具備することを特徴としたディスク装置である。
【発明を実施するための最良の形態】
【００１３】
以下、本発明に係る一実施形態に係るディスク装置を図面に基づいて説明する。
〔ディスク装置の構成〕
図１は、本発明の実施形態に係るディスク装置の概略を示す平面図である。図２は、前記実施形態におけるディスク装置のディスク処理部を底面側から見た平面図である。図３は、前記実施形態のディスク処理部のガイドシャフト近傍を示す拡大平面図である。図４は、前記実施形態のバネ線材を示す斜視図である。
【００１４】
図１において、１００は、本発明の一実施形態にかかるディスク装置である。このディスク装置１００は、例えばノート型のパーソナルコンピュータなどの携帯型の電気機器や、車両などに搭載される電気機器などに装着される、いわゆるセルフチャック機構のスリムディスク装置（あるいはスリムディスクドライブ）と称されるものである。なお、ディスク装置としては、好適なスリムディスクドライブを例示するが、例えばデスクトップ型パーソナルコンピュータなどに搭載される所定高さ寸法を有するディスクドライブなどにも適用することができる。
【００１５】
このディスク装置１００は、光ディスクにおける少なくとも一面に設けられた記録面に記録された情報を読み込む読込処理、および記録面へ各種情報を記録する記録処理のうち少なくとも一方の処理をする。ここで、この光ディスクとしては、例えば、ＣＤ(Compact Disc)やＤＶＤ(Digital Versatile Disc)あるいはＢＤ（Blu-ray Disc：ブルーレイディスク）またはＨＤ−ＤＶＤ（High Definition DVD）などの光ディスク、光磁気ディスク、磁気ディスク、あるいは、これらを貼り合わせた複合ディスク、カートリッジなどにこれらのディスクを格納したカートリッジタイプの光ディスクなどの各種構成を例示することができる。
【００１６】
そして、ディスク装置１００は、例えば金属製で内部空間を有し一側面に図示しない挿排口が設けられた略四角箱状のケース体１１０を有している。また、ケース体１１０内には、トレイ部１２０と、このトレイ部１２０をケース体１１０の開口を介して進退させる搬送手段１３０と、ディスク装置１００全体の動作を制御する図示しない制御回路部と、が配設されている。
【００１７】
トレイ部１２０は、トレイ１２１と、化粧板１２２とを備えている。
トレイ１２１は、例えば合成樹脂などにて略板状に形成されている。そして、トレイ１２１には、略中央部に装着開口１２１Ａが開口形成されている。
化粧板１２２は、トレイ１２１の一縁に設けられ、搬送手段１３０にてケース体１１０内に後退された状態でケース体１１０の開口を閉塞する合成樹脂などにて細長板状に形成されている。
そして、トレイ部１２０には、トレイ１２１の装着開口１２１Ａに一部が臨む状態にピックアップ保持装置としてのトラバースメカ２００が配設されている。
【００１８】
搬送手段１３０は、ケース体１１０内に配設された図示しないガイドレールと、図示しない付勢部材と、図示しない付勢解除手段と、などを備えている。
ガイドレールは、トレイ部１２０の開口を介した進退方向に沿って配設され、トレイ部１２０の進退移動を案内誘導する。
付勢部材は、例えばばね部材などで、トレイ部１２０がケース体１１０内に後退された状態で弾性変形され、弾性変形による復元力をトレイ部１２０が開口を介して進出する状態に作用させる。
【００１９】
付勢解除手段は、トレイ部１２０がケース体１１０内に後退されて化粧板１２２が開口を閉塞した状態でトレイ部１２０に設けられた図示しない係脱手段に係合する。そして、付勢解除手段は、例えば化粧板１２２に配設されたイジェクトボタンの操作など、トレイ部１２０の進出要求に応じて係脱手段の係合状態を解除する。
【００２０】
トレイ部１２０に配設されたトラバースメカ２００は、台座部２１０を備えている。この台座部２１０は、トレイ部１２０の化粧板１２２側の一端部からトレイ部１２０の略中心部に向かって長手略板枠状に形成されている。
この台座部２１０には、長手一端側となるトレイ部１２０の中心近傍に位置する周縁近傍に、ディスク回転駆動手段２２０が配設されている。また、図２ないし図３に示すように、台座部２１０の長手他端側、すなわち、長手方向に沿う側縁２１１Ａの化粧板１２２近傍、および側縁２１１Ｂの側面部１２０Ａ側近傍には、それぞれ外方に突出する台座支持部２１２が突出形成されている。さらに、台座部２１０のディスク回転駆動手段２２０が配設される一端側近傍にも、台座支持部２１３が突出形成されている。
【００２１】
また、台座部２１０には、固定補強部２１４と固定切上部２１５とが設けられている。固定補強部２１４は、台座部２１０の端部で台座部２１０の平面方向に対して交差する方向に折曲形成されている。固定切上部２１５は、固定補強部２１４とガイドシャフト２３１Ｂとの間に位置しガイドシャフト２３１Ｂの軸方向に略沿って設けられるとともに、台座部２１０の一部を切り上げて設けられている。固定補強部２１４には、バネ線材３２０の第３の突起部３２１Ｃを係合固定可能な第３の固定孔２１４Ａが台座部２１０とともに形成されている。また、固定切上部２１５にも同様に、第１および第２の突起部３２１Ａ，３２１Ｂを係合固定可能な第１および第２の固定孔２１５Ａ，２１５Ｂが台座部２１０とともに形成されている。第１の固定孔２１５Ａは、化粧板１２２近傍である固定切上部２１５の一端に形成され、第３の固定孔２１５Ｂは、ディスク回転駆動手段２２０近傍である固定切上部２１５の他端に形成されている。
【００２２】
これらの台座支持部２１２，２１３は、それぞれトレイ部１２０の図示しない底面に、弾性を有するフロートゴムを介して接続されている。これにより、台座部２１０は、ディスク回転駆動手段２２０が設けられる一端側が、トレイ部１２０のトレイ１２１の面方向に略直交する方向に進退可能に保持されている。
【００２３】
ディスク回転駆動手段２２０は、スピンドルモータである図示しない回転用電動モータと、図１に示すように、この回転用電動モータの出力軸に一体的に設けられた略円盤状の保持手段としてのターンテーブル２２１とを備えている。
ターンテーブル２２１は、略円柱状の軸支部２２１Ａと、この軸支部２２１Ａの軸方向の一端部に外方に向けて鍔状に一体に突設された鍔部２２１Ｂと、を備えている。そして、軸支部２２１Ａは、光ディスクの略中心位置に形成された装着孔の内径と略同径もしくは若干径小の外径に形成されている。
【００２４】
また、台座部２１０には、処理移動手段２３０が配設されている。処理移動手段２３０は、軸方向が略平行に配設された一対のガイドシャフト２３１Ａ，２３１Ｂと、例えばステッピングモータである移動用電動モータ２３２とを備えている。
【００２５】
ガイドシャフト２３１Ａ，２３１Ｂは、台座部２１０の長手方向に沿って、すなわち化粧板１２２の一端側からディスク回転駆動手段２２０が配設されるトレイ部１２０の略中央位置に向かって配設されている。ガイドシャフト２３１Ａの両端部には、第一シャフト調整部２３１Ｃが設けられ、ガイドシャフト２３１Ｂの両端部には、第二シャフト調整部３００が設けられている。
【００２６】
第一シャフト調整部２３１Ｃは、台座部２１０の底面側にシャフト押え板２３１Ｃ１を固定し、このシャフト押え板２３１Ｃ１と台座部２１０とによりガイドシャフト２３１Ａの端部を挟持させる。そして、シャフト押え板２３１Ｃ１は、調節ねじを挿通可能な挿通孔を備え、この挿通孔から調節ねじを挿通させ、調節ねじの先端部でガイドシャフト２３１Ａの周面を台座部２１０の天面側に押圧してガイドシャフト２３１Ａのスキュー高さが調節可能となっている。また、台座部２１０とガイドシャフト２３１Ａのとの間には、図示しないばね部材が設けられており、ガイドシャフト２３１Ａは、調節ねじ側に付勢されて調節時のガタなどが防止される構成となっている。
【００２７】
第二シャフト調整部３００は、図２、３に示すように、調整部材としての支持部３１０Ａ，３１０Ｂと、案内部としての軸係合部３３０Ａ，３３０Ｂと、付勢部材としてのバネ線材３２０とを有する。
支持部３１０Ａは、台座部２１０の化粧板１２２側に配設され、支持部３１０Ｂはディスク回転駆動手段２２０側に配設されている。支持部３１０Ａ，３１０Ｂは、台座部２１０に対向する一面が閉塞された略四角筒状である。支持部３１０Ａ，３１０Ｂの開口された面は、蓋部３１１Ａ，３１１Ｂにより閉塞されている。蓋部３１１Ａ，３１１Ｂの略中央には、調整ねじ３１２Ａ，３１２Ｂが適宜蓋部３１１Ａ，３１１Ｂを貫通可能に螺合されている。軸係合部３３０Ａ，３３０Ｂは、支持部３１０Ａ，３１０Ｂの近傍に設けられ、ガイドシャフト２３１Ｂの端部が嵌合されている。そして、調整ねじ３１２Ａ，３１２Ｂの螺合状態が適宜調整されることにより、ガイドシャフト２３１Ｂは軸係合部３３０Ａ，３３０Ｂに案内され、光ディスクに対する距離や軸方向が調整される。
【００２８】
バネ線材３２０は、図２、３に示すように、固定補強部２１４と固定切上部２１５との間に設けられるとともに、台座部２１０の表面上でガイドシャフト２３１Ｂの軸方向に沿って配設されている。バネ線材３２０は、図３，４に示すように、付勢部材本体と腕部とから構成される。付勢部材本体は、軸保持部３２１と、第１および第２のねじれ部３２２Ａ，３２２Ｂとから構成され、腕部は、第１および第２の押圧部３２３Ａ，３２３Ｂと、第１および第２の折曲部３２４Ａ，３２４Ｂとから構成される。軸保持部３２１、第１および第２のねじれ部３２２Ａ，３２２Ｂ、第１および第２の押圧部３２３Ａ，３２３Ｂ、第１および第２の折曲部３２４Ａ，３２４Ｂは、一本の線材にて略コ字状に形成され例えば、ステンレス鋼線やピアノ線などである。
【００２９】
軸保持部３２１は、径方向に突出する状態に折曲形成される第１ないし第３の突起部３２１Ａ，３２１Ｂ、３２１Ｃを有する。
第１および第２の突起部３２１Ａ，３２１Ｂは、バネ線材３２０が台座部２１０に配設された状態で、軸を対称軸として第１および第２の押圧部３２３Ａ，３２３Ｂが突出する方向と同じ側、すなわち、固定切上部２１５側に折曲形成される。
第３の突起部３２１Ｃは、第１の突起部３２１Ａと第２の突起部３２１Ｂとの間に設けられる。また、第３の突起部３２１Ｃは、バネ線材３２０が台座部２１０に配設された状態で、軸を対称軸として第１および第２の押圧部３２３Ａ，３２３Ｂが突出する方向と反対側、すなわち、固定補強部２１４側に折曲形成される。
第１の突起部３２１Ａは、化粧板１２２側に形成され、第３の突起部３２１Ｃはディスク回転駆動手段２２０側に形成されている。上述したように、バネ線材３２０の第１の突起部３２１Ａは、固定切上部２１５の第１の固定孔２１５Ａに係合固定され、第２の突起部３２１Ｂは、第２の固定孔２１５Ｂに固定され、第３の突起部３２１Ｃは、固定補強部２１４の第３の固定孔２１４Ａに固定される。これにより、バネ線材３２０は、第１〜第３の突起部３２１Ａ，３２１Ｂ，３２１Ｃが台座部２１０に固定される。
【００３０】
第１および第２のねじれ部３２２Ａ，３２２Ｂは、軸保持部３２１と第１および第２の折曲部３２４Ａ，３２４Ｂとの間にそれぞれ配設されている。
具体的には、第１のねじれ部３２２Ａは、第１の固定孔２１５Ａに係合固定された大２の突起部３２１Ａから第１の折曲部３２４Ａに亘って設けられている。また、第２のねじれ部３２２Ｂは、第２の固定孔２１５Ｂに係合固定された第２の突起部３２１Ｂから第２の折曲部３２４Ｂに亘って設けられている。
第１および第２のねじれ部３２２Ａ，３２２Ｂは軸を中心としてねじれ振動を有する。このねじれ振動は、第１および第２の折曲部３２４Ａ，３２４Ｂを介して第１および第２の押圧部３２３Ａ，３２３Ｂに伝達され、ガイドシャフト２３１Ｂの周面を付勢する。
【００３１】
第１および第２の押圧部３２３Ａ，３２３Ｂは、台座部２１０とガイドシャフト２３１Ｂとの間に位置する状態に配設されている。また、第１および第２の押圧部３２３Ａ，３２３Ｂは、第１および第２のねじれ部３２２Ａ，３２２Ｂから伝達されたねじれ振動により、ガイドシャフト２３１Ｂを第二シャフト調整部３００の調整ねじ３１２Ａ，３１２Ｂに近接する方向、すなわち、台座部２１０から離れる方向に付勢する。また、第１および第２の押圧部３２３Ａ，３２３Ｂは、線材にて構成されているため、径方向に弾性変形可能であるので、撓んだ状態で第１および第２のねじれ部３２２Ａ，３２２Ｂのねじれ振動をガイドシャフト２３１Ｂにそれぞれ伝達することができる。なお、第１および第２の押圧部３２３Ａ，３２３Ｂは、ガイドシャフト２３１Ｂの周面に当接する当接面を有していても良い。
【００３２】
図１および図２に戻って、台座部２１０に設けられる移動用電動モータの図示しない出力軸には、外周面に螺旋状の図示しない係合溝が設けられたリードスクリュが同軸上に一体に連結されている。
さらに、台座部２１０には、処理移動手段２３０の一対のガイドシャフト２３１Ａ，２３１Ｂに支持されたピックアップ装置２４０が配設されている。
このピックアップ装置２４０は、一対のガイドシャフト２３１Ａ，２３１Ｂ間に架橋する状態で保持される移動保持部２４１を備えている。この移動保持部２４１には、ガイドシャフト２３１Ａ，２３１Ｂを移動可能に嵌挿する図示しない保持部と、移動用電動モータの出力軸に連結されたリードスクリュの係合溝に係合する図示しない移動規制爪部とを備えている。そして、ピックアップ装置２４０は、例えば図示しないフレキシブル回路により制御回路部に電気的に接続されている。
【００３３】
また、このピックアップ装置２４０は、図示しない光源と、この光源からの光を収束するレンズ２５１と、光ディスクで反射された出射光を検出する図示しない光センサとを有する光ピックアップ２５０を備えている。この光ピックアップ２５０は、ピックアップ装置２４０に接続されるフレキシブル回路に電気的に接続され、このフレキシブル回路を介して制御回路部に接続されている。そして、光ピックアップ２５０は、制御回路部の制御により、光ディスクの記録面に記録された各種情報を読み取って出力回路部へ出力する読取処理や、制御回路部からの各種情報を記録面に記録する記録処理を実施する。
【００３４】
そして、台座部２１０の上面側には、図１に示すように、カバー部材としてのＴＭカバー部材４００が設けられている。
このＴＭカバー部材４００は、例えばアルミなどの軽量金属により形成され、トラバー 
スメカ２００のディスク回転駆動手段２２０の回転用電動モータ、処理移動手段２３０、ピックアップ装置２４０の一部、フレキシブル回路を覆う状態に台座部２１０に固定されている。そして、このＴＭカバー部材４００は、フレキシブル回路の光ディスク側への突出や、光ディスクのピックアップ装置２４０への接触などを防止する。
【００３５】
そして、ＴＭカバー部材４００は、ピックアップ装置２４０の光ピックアップ２５０の移動経路、すなわちターンテーブル２２１の径方向に沿って処理開口部４０１が設けられている。この処理開口部４０１により、光ピックアップ２５０のレンズ２５１が光ディスクの記録面に対向し、記録面に所定波長の光を射出可能となっている。
【００３６】
〔スキュー高さ調整動作〕
上記のようなディスク装置１００では、ピックアップ装置２４０は、ターンテーブル２２１に保持された光ディスクに所定波長の光を射出し、光ディスクの記録面にて反射された反射光を光センサで受光する。このようなディスク装置１００では、ピックアップ装置２４０から射出される光の光軸が僅かにずれると、例えば正常に光ディスクの記録面に情報を書き込む書込み処理ができなかったり、光ディスクの記録面にて反射される反射光が正常に光センサで受光でないという不都合が発生する。このため、ディスク装置１００の組立工程において、ピックアップ装置２４０の位置を調整する、いわゆるスキュー高さ調整動作が必要となる。
【００３７】
次に、上記ディスク装置１００の動作におけるピックアップ装置のスキュー高さ調整動作について説明する。
このスキュー高さ調整動作では、まず台座部２１０にガイドシャフト２３１Ａを配設する。そして、ガイドシャフト２３１Ａの両端部の第一シャフト調整部２３１Ｃの調整ねじを適宜調整し、所定スキュー高さ寸法に設定する。
具体的には、台座部２１０の固定補強部２１４と固定切上部２１５との間に、ガイドシャフト２３１Ｂに沿ってバネ線材３２０を配設する。ここで、バネ線材３２０の第３の突起部３２１Ｃを固定補強部２１４の第３の固定孔２１４Ａに挿入し、バネ線材３２０の第１および第２の突起部３２１Ａ，３２１Ｂを固定切上部２１５の第１および第２の固定孔２１５Ａ，２１５Ｂに挿入する。そして、第１および第２の押圧部３２３Ａ，３２３Ｂが、台座部２１０に近接する状態に第１および第２のねじれ部３２２Ａ，３２２Ｂをねじる。
【００３８】
そして、第１および第２の押圧部３２３Ａ，３２３Ｂがガイドシャフト２３１Ｂと台座部２１０との間に位置する状態にガイドシャフト２３１Ｂを配設させる。さらに、ガイドシャフト２３１Ｂの端部を軸係合部３３０Ａ，３３０Ｂに係合させるとともに、支持部３１０Ａ，３１０Ｂに支持させる。
この際、第１および第２のねじれ部３２２Ａ，３２２Ｂがねじれ振動を有することにより、第１および第２の押圧部３２３Ａ，３２３Ｂがガイドシャフト２３１Ｂの両端部の周面を押圧する。第二シャフト調整部３００の調整ねじ３１２Ａ，３１２Ｂを蓋部３１１Ａ，３１１Ｂに螺合させ、第１および第２の押圧部３２３Ａ，３２３Ｂの押圧に対して抗する状態とし、調整ねじ３１２Ａ，３１２Ｂを台座部２１０に対してフォーカス方向に進退させる。
【００３９】
例えば、調整ねじ３１２Ａ，３１２Ｂを台座部２１０に向かう方向に蓋部３１１Ａ，３１１Ｂ材に没入させると、バネ線材３２０の付勢力に抗してガイドシャフト２３１Ｂは、軸係合部３３０Ａ，３３０Ｂに案内されて台座部２１０側に押し下げられる。この際、第１および第２の突起部３２１Ａ、３２１Ｂは、台座部２１０に当接し、第３の突起部３２１Ｃは、固定補強部２１４に当接して係合固定される。これにより、バネ線材３２０が固定されるとともに、ガイドシャフト２３１Ｂのスキュー高さ位置が設定される。
【００４０】
一方、調整ねじ３１２Ａ，３１２Ｂをねじ蓋部３１１Ａ，３１１Ｂ材から引き抜くと、ガイドシャフト２３１Ｂは、バネ線材３２０の付勢力に従って軸係合部３３０Ａ，３３０Ｂに案内されて台座部２１０から離れる方向に移動する。この際、第１および第２の突起部３２１Ａ、３２１Ｂは固定切上部２１５に当接し、第３の突起部３２１Ｃは、台座部２１０に当接して係合固定される。これにより、バネ線材３２０が固定されるとともに、ガイドシャフト２３１Ｂのスキュー高さ位置が設定される。
【００４１】
〔実施形態のディスク装置の作用効果〕
上述したように、上記実施形態では、ディスク装置１００には、ピックアップ装置２４０を移動可能に保持する長手棒状のガイドシャフト２３１Ｂと、フォーカス方向にガイドシャフト２３１Ｂを案内する軸係合部３３０Ａ，３３０Ｂと、ガイドシャフト２３１Ｂのフォーカス方向への移動を調整する調整ねじ３１２Ａ，３１２Ｂと、ガイドシャフト２３１Ｂを台座部２１０から離隔する方向に付勢するバネ線材３２０とが設けられている。また、バネ線材３２０には、台座部２１０に固定される軸保持部３２１と、軸を中心にねじれ振動可能に設けられた長手棒状の第１および第２のねじれ部３２２Ａ，３２２Ｂと、ねじれ振動を伝達する第１および第２の押圧部３２３Ａ，３２３Ｂとが設けられる。
このため、バネ線材３２０は、第１および第２のねじれ部３２２Ａ，３２２Ｂが長手棒状なので、径方向が高さ方向であるコイルバネなどの付勢部材を設ける場合と比較して、径方向の長さ寸法が小さくて済む。したがって、トラバースメカ２００が薄型化されディスク装置１００も薄型にすることができる。また、薄型にできるため、バネ線材３２０に押圧されるガイドシャフト２３１Ｂの端部を細くしなくて済むので、シャフトの強度を維持することができ、コストがかからない。
さらに、バネ線材３２０は、台座部２１０の表面に略沿ってガイドシャフト２３１Ｂに並設されるので、ガイドシャフト２３１Ｂの端部と台座部２１０との間にコイルバネなどの付勢部材を設ける場合と異なり、ガイドシャフト２３１Ｂの端部を他の部分よりも細くしなくて済む。したがって、ガイドシャフト２３１Ｂの強度を維持することができ、コストがかからない。
さらに、板バネやトーションバネと異なりバネ線材３２０は棒状なので、金型が不要でコストもかからず、簡単に製造できる。
【００４２】
また、第１および第２の突起部３２１Ａ，３２１Ｂは、固定切上部２１５の第１および第２の固定孔２１５Ａ，２１５Ｂに挿入可能であり、第３の突起部３２１Ｃは、固定補強部２１４の第３の固定孔２１４Ａに挿入可能である。
このことにより、第１ないし第３の突起部３２１Ａ，３２１Ｂ，３２１Ｃを第１ないし第３の固定孔２１５Ａ，２１４Ａ，２１５Ｂに挿入することによりバネ線材３２０を台座部２１０に配設できるので、容易にトラバースメカ２００を組み立てることができる。
【００４３】
また、台座部２１０には、台座部２１０の平面方向に対して交差する方向に折曲形成された固定補強部２１４が設けられている。
このため、固定補強部２１４により台座部２１０が損傷するなどの不都合が防止される。また、固定補強部２１４は台座部２１０の端部を折曲形成して設けられるので、他の部材を用いることなく、コストを抑えて補強できる。また、固定補強部２１４によりトラバースメカ２００の中心側に配置されるガイドシャフト２３１Ｂなどがガードされ、ガイドシャフト２３１Ｂなどが損傷するなどの不都合が防止される。
【００４４】
そして、台座部２１０には、台座部２１０の一部を切り上げて形成された固定切上部２１５が設けられている。
このため、固定切上部２１５は台座部２１０の一部により形成されるので、他の部材を用いることがなく、コストを抑えることができる。
【００４５】
さらに、第１および第２の押圧部３２３Ａ，３２３Ｂは、第１および第２の折曲部３２４Ａ，３２４Ｂを介して第１および第２のねじれ部３２２Ａ，３２２Ｂに設けられている。
このため、第１および第２の折曲部３２４Ａ，３２４Ｂは、第１および第２のねじれ部３２２Ａ，３２２Ｂに対して所定方向に第１および第２の押圧部３２３Ａ，３２３Ｂを設けることができる。また、折曲部３２４Ａ，３２４Ｂは、一箇所に限らず、複数箇所設けてもよく、例えば、ジグザグ状に折曲されていてもよい。
【００４６】
また、第１および第２のねじれ部３２２Ａ、３２２Ｂは、第１および第２の折曲部３２４Ａ，３２４Ｂと第１および第２の突起部３２１Ａ，３２１Ｂとの間に設けられている。
このため、第１および第２の突起部３２１Ａ，３２１Ｂの形成位置を変化させると、第１および第２のねじれ部３２２Ａ、３２２Ｂのそれぞれの長さ寸法が変化する。第１および第２の突起部３２１Ａ，３２１Ｂが第１および第２の押圧部３２３Ａ、３２３Ｂからそれぞれ離隔すると、第１および第２のねじれ部３２２Ａ、３２２Ｂの長さ寸法が長くなり、ねじれ振動が増大する。一方、第１および第２の突起部３２１Ａ，３２１Ｂが第１および第２の押圧部３２３Ａ、３２３Ｂに近接すると、第１および第２のねじれ部３２２Ａ、３２２Ｂの長さ寸法が短くなり、ねじれ振動が低下する。
このことにより、付勢部材本体の長さを変えることなく、第１および第２の突起部３２１Ａ，３２１Ｂの形成位置を変化させることにより、ねじれ振動の大きさを変化させることができ、所望の付勢力を得ることができる。
【００４７】
また、軸保持部３２１は、固定補強部２１４または固定切上部２１５に固定される第１ないし第３の突起部３２１Ａ，３２１Ｂ，３２１Cを有する。
例えば、第１および第２の押圧部３２３Ａ，３２３Ｂが付勢力に従って台座部２１０と反対側に移動する状態では、第１および第２の突起部３２１Ａ、３２１Ｂは、固定切上部２１５に当接し、第３の突起部３２１Ｃは、台座部２１０に当接して係合固定される。一方、第１および第２の押圧部３２３Ａ，３２３Ｂが台座部２１０側に移動する状態では、第１および第２の突起部３２１Ａ、３２１Ｂは、台座部２１０に当接し、第３の突起部３２１Ｃは、固定補強部２１４に当接して係合固定される。
このため、第１ないし第３の突起部３２１Ａ,３２１Ｂ、３２１Ｃは固定孔２１５Ａ、２１５Ｂ、２１４Ａに確実に固定され、バネ線材３２０が外れるなどの不都合を防止できる。
【００４８】
そして、第１および第２の押圧部３２３Ａ，３２３Ｂは、第１および第２のねじれ部３２２Ａ、３２２Ｂにそれぞれ設けられている。
このことにより、第１および第２の押圧部３２３Ａ，３２３Ｂはガイドシャフト２３１Ｂの両端部に係合して付勢することができる。したがって、さらに精度よくピックアップ装置２４０のスキュー調整を行なうことができる。
【００４９】
また、第３の突起部３２１Cは、第１の突起部３２１Ａと第２の突起部３２１Ｂとの間に位置し、第１および第２の突起部３２１Ａ、３２１Ｂと反対側に折曲形成されている。
このことにより、第１および第２の突起部３２１Ａ、３２１Ｂと、第３の突起部３２１Cとは互いの近接する方向に押圧するので、軸保持部３２１が良好に固定される。したがって、第１および第２のねじれ部３２２Ａ、３２２Ｂの軸が良好に固定され、ねじれ振動によりガイドシャフト２３１Ｂを良好に付勢できる。
【００５０】
そして、固定補強部２１４は、第３の突起部３２１Ｃを係合固定する固定孔２１４Ａを有し、固定切上部２１５は、第１および第２の突起部３２１Ａ,３２１Ｂを係合固定する固定孔２１５Ａ,２１５Ｂを有する。
このことにより、固定補強部２１４および固定切上部２１５は、孔を設ける簡単な構成により第１ないし第３の突起部３２１Ａ,３２１Ｂ,３２１Cを係合固定できるので、製造性が向上する。
【００５１】
また、第１および第２の押圧部３２３Ａ，３２３Ｂは、径方向に弾性変形可能である。
このため、第１および第２の押圧部３２３Ａ，３２３Ｂは、ガイドシャフト２３１Ｂの周面に弾性変形して押圧するので、撓んだ状態で第１および第２のねじれ部３２２Ａ，３２２Ｂのねじれ振動をガイドシャフト２３１Ｂに伝達することができる。これにより、スキュー調整をさらに精度よく行うことができる。
【００５２】
また、バネ線材はステンレス鋼線やピアノ線などの線材である。
このため、折曲形成して容易に第１および第２の押圧部３２３Ａ，３２３Ｂと、第１ないし第３の突起部３２１Ａ,３２１Ｂ,３２１Cとを形成できるとともに、第１および第２のねじれ部３２２Ａ、３２２Ｂを設けることができる。
【００５３】
また、ディスク装置１００は、トラバースメカ２００と、光ディスクを保持するディスク回転駆動手段２２０と、トラバースメカ２００に移動可能に保持されるとともに、ディスク回転駆動手段２２０に保持された光ディスクに情報を書き込む書込み処理、および前記記録媒体に記録された情報を読み込む読込処理を実施するピックアップ装置２４０と、トラバースメカ２００、ディスク回転駆動手段２２０、およびピックアップ装置２４０を内部に収納するとともに、光ディスクを内外に出し入れ可能な開口部を備えたケース体１１０とを備える。
このため、ディスク装置１００は、バネ線材３２０が設けられたトラバースメカ２００を備えるので、ディスク装置１００は容易に薄型化できる。
【００５４】
［実施形態の変形］
なお、本発明は、上述した各実施の形態に限定されるものではなく、本発明の目的を達成できる範囲で以下に示される変形をも含むものである。
【００５５】
例えば、上記実施形態では、ディスク装置１００として、いわゆるスリムドライブタイプのディスク装置１００を例示したが、これに限られず、例えば前記したように、デスクトップ型パーソナルコンピュータなどに搭載される所定厚み寸法を有するディスクドライブ装置などにも利用することができる。
また、記録媒体として、光ディスクを例示したが、その他光磁気ディスク、磁気ディスク、あるいは、これらを貼り合わせた複合ディスク、カートリッジなどにこれらのディスクを格納したカートリッジタイプの記録媒体など、各種記録媒体を利用することができる。
【００５６】
また、軸保持部３２１は、径方向に突出する状態に折曲形成された第１ないし第３の突起部３２１Ａ，３２１Ｂ，３２１Ｃを有する構成を示したが、これに限られない。
例えば、第１ないし第３の突起部３２１Ａ，３２１Ｂ，３２１Ｃのうち、少なくともいずれか一つを有していても良い。
【００５７】
そして、第１および第２の押圧部３２３Ａ，３２３Ｂは、第１および第２のねじれ部３２２Ａ、３２２Ｂにそれぞれ設けられている構成を示したが、これに限られない。
例えば、第１および第２の押圧部３２３Ａ，３２３Ｂは、付勢部材本体の端部のうち少なくともいずれか一方に設けられていても良い。
【００５８】
また、第３の突起部３２１Cは、バネ線材３２０が配設された状態で、第１および第２の突起部３２１Ａ、３２１Ｂと反対側に折曲形成されている構成を示したが、これに限られない。
例えば、第３の突起部３２１Cは、１および第２の突起部３２１Ａ、３２１Ｂと同じ対側に設けられていても良い。
【００５９】
そして、固定補強部２１４は、第３の突起部３２１Ｃを係合固定する固定孔２１４Ａを有し、固定切上部２１５は、第１および第２の突起部３２１Ａ,３２１Ｂを係合固定する固定孔２１５Ａ,２１５Ｂを有する構成を示したが、これに限られない。
例えば、固定孔２１４Ａ、固定孔２１５Ａ,および、２１５Ｂのうち少なくともいずれか一つが第１ないし第３の突起部３２１Ａ,３２１Ｂ、３２１Ｃを係合固定できればよい。
また、第１ないし第３の固定孔２１５Ａ，２１４Ａ，２１５Ｂを設けることなく、接着剤や接着材などにより、第１ないし第３の突起部３２１Ａ，３２１Ｂ，３２１Ｃを固定補強部２１４、固定切上部２１５に固定してもよい。
【００６０】
そして、第１および第２の押圧部３２３Ａ，３２３Ｂは、バネ線材３２０の端部を構成するとしたが、これに限られない。例えば、第１および第２の押圧部３２３Ａ，３２３Ｂは、平板状や球状でもよい。また、第１および第２の押圧部３２３Ａ，３２３Ｂは、ガイドシャフト２３１Ｂに当接する当接面を有してもよい。
【００６１】
また、バネ線材３２０の軸保持部３２１を折曲形成させることにより、第１および第3の突起部３２１Ａ，３２１Ｃを形成させる構成を示したが、これに限られない。例えば、軸保持部３２１の軸の周面に突起状の部材が接着や膨出形成されていてもよい。
【００６２】
その他、本発明の実施の際の具体的な構造および手順は、本発明の目的を達成できる範囲で他の構造などに適宜変更できる。
【図面の簡単な説明】
【００６３】
【図１】本発明の実施形態に係るディスク装置の概略を示す平面図である。
【図２】前記実施形態におけるディスク装置のディスク処理部を底面側から見た平面図である。
【図３】前記実施形態のディスク処理部のガイドシャフト近傍を示す拡大平面図である。
【図４】前記実施形態のバネ線材を示す斜視図である。
【符号の説明】
【００６４】
１００    …ディスク装置
１１０    …ケース体
２００    …ピックアップ保持装置としてのトラバースメカ
２１０    …台座部
２４０    …ピックアップ装置
２３１Ａ、２３１Ｂ…シャフトとしてのガイドシャフト
３００    …第二調整手段
３２０    …付勢部材としてのバネ線材
３２１    …軸保持部
３２１Ａ…第１の突起部
３２１Ｂ…第２の突起部
３２１Ｃ…第３の突起部
３２２Ａ、３２２Ｂ…ねじれ部
３２３Ａ、３２３Ｂ…押圧部
３２４Ａ、３２４Ｂ…折曲部
【図１】
2009157970.tif 000003
【図２】
2009157970.tif 000004
【図３】
2009157970.tif 000005
【図４】
2009157970.tif 000006